(57)【特許請求の範囲】
【請求項１】
所定の内径にて規定されている流路と外面とを有するフレキシブルチューブ（３１４）用バーブクランプ（３１０）であって、
前記フレキシブルチューブ（３１４）の端部内に配設する第１の端部（３２２）と流路となる一定の直径の平滑な内穴（３１３）とを有する管状構造を有し、前記内穴（３１３）の直径が前記フレキシブルチューブ（３１４）の内径に等しいバーブコネクタ（３１２）と、
前記バーブコネクタ（３１２）の前記第１の端部（３２２）上で摺動可能な貫通穴と、第１の端部（３３２）と、第２の端部（３３４）と、内面（３１９）と、外面（３３０）とを有し、前記貫通穴が前記内面（３１９）により規定され、前記内面（３１９）が第１の端部（３３２）において縮小環状隆起（３３８）に向けて内側に曲がる導入環状面（３４０）を有し、前記外面（３３０）が出張り（３３６）により区分される外面（３３０ａ）と外面（３３０ｂ）とを有する二層構造を有し、前記外面（３３０ａ）が前記第１の端部（３３２）に隣接し、前記外面（３３０ｂ）が前記第２の端部（３３４）に隣接し、前記外面（３３０ａ）の直径が前記外面（３３０ｂ）の直径以下である円筒状コレット（３１８）と、
前記コレット（３１８）を摺動可能に収容する貫通穴を有し、第１の端部（３５４）と第２の端部（３５６）とを有し、前記第２の端部（３５６）が脆弱なタブ（３２８）により前記コレット（３１８）の第２の端部（３３４）に接続され、前記貫通穴が内面（３５１）により規定され、前記内面（３５１）が、第１の端部（３５４）側の縁（３５２）に隣接する拡大径方向部（３５８）と、出張り（３６０）を境界として前記拡大径方向部（３５８）に隣接する縮小直径部（３６２）と、前記縮小直径部（３６２）に隣接して外側に傾斜している傾斜部（３６４）と、前記傾斜部（３６４）に隣接するとともに前記縁（３５２）とは反対側の端部である拡大端部（３６６）とを有する円筒状スリーブ（３２０）と、を備えることを特徴とするバーブクランプ。
【請求項２】
前記バーブコネクタ（３１２）の前記第１の端部（３２２）の外面が、前記内穴（３１３）から径方向外側に延在する傾斜面（３２３）を規定し、前記バーブコネクタ（３１２）の前記第１の端部（３２２）に尖端を形成していることを特徴とする請求項１に記載のバーブクランプ。
【請求項３】
前記コレット（３１８）の前記第１の端部（３３２）と前記第２の端部（３３４）が、その中に形成された貫通スリットを有し、水平方向の縁により規定された前記貫通スリットが、その間に隙間を有し、前記第２の端部（３３４）の前記貫通スリットが、前記第１の端部（３３２）の前記貫通スリットに対しオフセットしていることを特徴とする請求項２に記載のバーブクランプ。
【請求項４】
前記スリットが、その各端部から延在し、そこで開口し、前記コレット（３１８）の軸方向に約３分の２延在していることを特徴とする請求項３に記載のバーブクランプ。
【請求項５】
前記脆弱なタブ（３２８）が、前記コレット（３１８）の前記第１の端部（３３２）の前記貫通スリットと軸方向に一列に位置していることを特徴とする請求項４に記載のバーブクランプ。
【請求項６】
前記スリーブ（３２０）の内面に形成された前記出張り（３６０）は、前記バーブクランプ（３１０）が、係止位置にあるとき、前記コレット（３１８）の外面上の出張りを収容することを特徴とする請求項５に記載のバーブクランプ。
【請求項７】
前記拡大径方向部（３５８）が、前記出張り（３６０）で始まり、前記スリーブ（３２０）の第１の端部（３５４）の径方向の縁に延在していることを特徴とする請求項１に記載のバーブクランプ。
【請求項８】
前記バーブクランプ（３１０）が、係止位置にあるとき、前記スリーブ（３２０）上の前記脆弱なタブ（３２８）が、前記コレット（３１８）の外面（３３０）を把持することを特徴とする請求項１に記載のバーブクランプ。
【請求項９】
前記径方向の縁が、前記スリーブ（３２０）に対する前記コレット（３１８）の軸方向移動の止め具を規定することを特徴とする請求項７に記載のバーブクランプ。
【請求項１０】
前記コレット（３１８）が、前記第２の端部（３３４）で垂直に位置している平面を有し、前記脆弱なタブ（３２８）の一端が、前記平面に接続され、前記脆弱なタブ（３２８）の他端が、前記拡大端部（３６６）に接続されていることを特徴とする請求項１に記載のバーブクランプ。
【請求項１１】
前記バーブクランプ（３１０）が、係止位置にあるとき、前記拡大端部（３６６）に接続されている前記脆弱なタブ（３２８）の端部が、前記コレット（３１８）の外面（３３０）を把持することを特徴とする請求項１０に記載のバーブクランプ。
【発明の詳細な説明】
【技術分野】
【０００１】
本出願は、米国特許出願１０／９６３，４５７号の一部係属出願である。２００４年１０１３日に出願された係属中の出願は、２００３年１０月１７日に出願された仮特許出願６０／５１２，２３１号の優先権を主張している。
本発明は、管状体の締結装置に関する。
【背景技術】
【０００２】
フレキシブルチューブを通して流体が移動することは、様々な環境において広く用いられている。最終的に、フレキシブルチューブは、ガスまたは流体の供給部位である流動性流体の供給源に接続されるか、またはフレキシブルチューブに接続される。フレキシブルチューブの端部では、堅く、漏れのない接合をすることが必要である。これらの要件は、フレキシブルチューブを用いる全ての環境において必要であるが、医療と医薬品および飲食物分野において重要である。医療と医薬品分野において、フレキシブルチューブと付属の接合部は、ルアー継手(luer fittings)、素早い接続(quick connects)、または血液ポンプ、酸素濃縮器、睡眠時無呼吸装置、医療運搬容器、IV(静脈注射)バッグなどの衛生器具に用いられる。ある環境、特に医療分野において、接続箇所において、チューブと接続器具の間で液体が漏れるのを完全に防ぐことが必要不可欠である。接続箇所で隙間があったり突然交換したりすると、液体、例えば、バイオ、血液、医薬品、栄養素(foodstuff)などの液体が残って(entrap)しまう。この残った流体中に有害なバクテリアが増殖する可能性がある。
【発明の概要】
【０００３】
本発明は、上述した問題に対処する。本発明は、フレキシブルチューブをバーブ継手（ｂａｒｂ  ｆｉｔｔｉｎｇ）またはコネクタ、あるいはバーブが付いていない真直ぐなルーメン（ｌｕｍｅｎ）に結合するのに用いられる改良バーブクランプ（ｉｍｐｒｏｖｅｄ  ｂａｒｂ  ｃｌａｍｐ）である。特に、フレキシブルチューブを特別に構成されたバーブコネクタに結合することで、チューブの内径とバーブコネクタの内径の間の変化（ｔｒａｎｓｉｔｉｏｎ）がごくわずかか全くない。
【０００４】
本発明の一態様において、チューブの内径とバーブコネクタの内径の間の変化をなくし、改良バーブコネクタのチューブの一部とバーブコネクタの外側のチューブの一部との間のチューブの圧力差がなくなるように、バーブコネクタは、終端点に向けてテーパ状になっている。
本発明を実施するために熟考された最良の実施形態の以下の説明を添付図面と一緒に読んだとき、本発明の別の用途が当業者に明らかになるだろう。
【図面の簡単な説明】
【０００５】
ここで行う説明は、添付図面に言及するものであり、各図面を通して、同一の参照番号は同一の部分を示す。
【図１】本発明のバーブクランプの断面図である。
【図２】本発明のバーブクランプの代替物の部分断面図である。
【図３】本発明のバーブクランプのコレット(collet)の平面図である、
【図４】本発明のバーブクランプのスリーブ(sleeve)の断面図である。
【図５】本発明による改良バーブクランプの断面図である。
【図６】改良バーブクランプの別の実施形態の断面図である。
【図７】改良コレットとスリーブの別の実施形態の断面図である。
【図８】ある形状を図示するため切り取った部分を有する図７に示す実施形態の透視図である。
【図９】係止解除位置(unlock position)にある図７に示すバーブクランプのコレットとスリーブの断面図である。
【図１０】係止位置(lock position)にある図7に示すコレットとスリーブの断面図である。
【図１１】チューブの上に係止された図１０に示すバーブクランプのコレットとスリーブの断面図である。
【発明を実施するための形態】
【０００６】
図１，２は、バーブコネクタ１２とフレキシブルチューブ１４を結合する本発明のバーブクランプコネクタ１０を示し、以下に説明する。バーブコネクタ１２は、一般的に、プロプロリエン（ｐｒｏｐｒｏｌｙｅｎｅ）またはエチレン製医療または医薬品バッグに熱溶接が可能な非金属材料から製造されている。同じおよび類似の材料をバイオテクノロジー、医薬品、医療、および食品の継手接続および多種多様の用途に用いることができる。必要であれば、継手も他のプラスチックやステンレススチールから製造することができる。図１，２に示すように、バーブコネクタ１２は、別の構成も取り得るが、フレキシブルチューブ１４へ３６０度の径方向に圧縮接続するため、少なくとも１つの拡大またはバーブ端部１６を備えるのが普通である。もしバーブクランプ１０を医療または医薬品環境で用いようとする場合には、バーブコネクタ１２をＦＤＡ（Ｄｒｕｇ  ａｎｄ  Ｆｏｏｄ  Ａｄｍｉｎｉｓｔｒａｔｉｏｎ：アメリカ食品医薬品局）承認ポリプロリエン、シリコン、ＴＰＥ，ＴＰＲなどから製造するのが好ましい。バーブコネクタ１２は、バーブクランプ１０の留め具を規定するフランジ部１７も備えてもよい。
【０００７】
バーブクランプ１０は、コレット１８とスリーブ２０を備えている。コレット１８とスリーブ２０は、図１〜６に示すようなものであり、２００２年3月１８日に出願された米国特許出願１０／１００，５１９号で論じられたコレットとスリーブと類似している。なお、この米国特許出願には、現在２００４年９月２８に米国特許６，７９６，５８６が発行された。
コレット１８は、基本的にチューブ１４の端部を収容する貫通穴１９を有する環状部材である。スリーブ２０も、チューブ１４の端部を収容する貫通穴２１を有する環状部材であり、その直径はコレット１８をその中に収容できるだけの大きさである。
【０００８】
図３を参照すると、コレット１８は、チューブ１４の周囲で径方向に収縮する弾性手段を提供する外側の面２２を有している。コレット１８は、不連続な環状リングを形成する第１の端部２３を有している。外側の面２２に沿って第１の端部２３に隣接しているのは、環状溝２６である。第２の端部２４方向に移動し、環状溝２６を越えると、コレットは、８つの弾性舌部２８を形成する。舌部２８は、径方向に広がっているか、またはコレット１８の第２の端部２４でやや拡大している。舌部(tang)２８は、各舌部２８のほぼ中間点で広がり始めている。各舌部２８は、各舌部２８の中間部分で径方向に広がっているか、または多少拡大している。舌部２８は、第２の端部から延在し、環状溝２６で終っている狭貫通スロット２５により形成されている。図３，５に示す狭貫通スロット２５は、丸みを帯びた終端部２５ａを有しているが、この終端部２５ａは、尖端（図示せず）を有してもよい。
【０００９】
小さな傾斜出張り(small ramping ledge)３０が、狭貫通スロット２５の各終端部２５ａの上に突出している。以下に説明するように、小さな傾斜出張り３０は、コレットの強度を高め、スリーブ２０に対し停止手段を提供する。小さな各傾斜出張り３０間に、環状溝２６の中に延存する凹平面部３０ａがある。８つの舌部２８は、管状部材１４の周囲で舌部が収縮できるようにする弾性封止を形成している。あらゆる他の舌部２８の間に、第１の端部２３から関連する舌部２８の中間部分２７まで延在する。貫通スロット２９がある。貫通スロット２９は、図３，５に示すように、丸みを帯びた終端部２９ａまたは尖った終端部（図示せず）でもよい。貫通スロット２９は、耐久性を犠牲にすることなく、コレット１８の第１の端部２３に反発力を付与する。以降に示す理由により、コレット１８の内側の面３１は、棚状物(shelf)３２を除き、基本的に平滑で、中間部分２７の各舌部２８の上に均等に位置している。
【００１０】
図４を参照すると、スリーブ２０は、平滑な外側の環状面３４を有している。スリーブ２０は、弓状の底部を形成し、コレット１８への組み付けを容易にする第１または底端部３６を有している。内側の面４０は、スリーブ２０の第２または頂端部３８でわずかに外側に向かうテーパを形成している。内側の面４０は、内面から延在する環状突出部４２を除き、スリーブ２０の全長にわたり基本的に平滑である。バーブクランプ１０が係合したとき、環状突出部４２の大きさを調節し、スリーブ２０上に置き、コレット１８の環状溝２６内に配設して係止する。従って、環状突出部４２は、スリーブ２０の第２または頂端部３８に近接して位置している。
【００１１】
スリーブ２０の第２または上端部３８が、チューブ端から遠くに離れて間隔を空けるように、チューブ１４の端部の上に最初に配置され、コレット１８の第１の端部２３が、スリーブ２０に最も接近するように、次にチューブ１４の上に配置される。そして、バーブコネクタ１２の拡大端部１６が、チューブ１４内に配置される。バーブコネクタ１２の拡大端部１６は、チューブ１４の内部にぴったりと収容される大きさに設定されている。次いで、コレット１８が、バーブコネクタ１２の拡大端部（ｅｘｐａｎｄｅｄ  ｅｎｄ）１６を有するチューブ１４の上を摺動する。コレット１８の内側の面３１に位置するスリーブ３２は保持器であり、チューブ１４の周囲とバーブコネクタ１２が、チューブ１４から簡単に外れないように、バーブコネクタ１２の拡大端部１６の下を径方向に３６０度加圧する。スリーブ２０の第１または底端部３６が、コレット１８の第１の端部２３に最初に遭遇するように、スリーブ２０が、コレット１８上を摺動する。スリーブ２０が、コレット１８上を摺動するので、コレット１８上の舌部２８が、チューブ１４とバーブコネクタ１２の径方向に内側に押圧されるため、コレット１８の環状棚状物３２が、チューブ１４とバーブコネクタ１２の内側に押圧され、その間を堅く密封し、これによりバーブ１６の下に棚状物３２を係止することができる。スリーブ２０の内側の面４０上の環状突出部４２が、コレット１８の環状溝２６内に位置するまで、スリーブ２０は、コレット１８上を摺動し続ける。コレット１８の外側の面３４上の小さな出張り３０が停止し、係止することで、環状突出部４２が、環状溝２６から外れることを防止している。コレット１８とスリーブ２０が、互いに係止されたとき、バーブクランプ１０は、「カチッ」と音がする。分離や漏れを防ぐために、工具を用いてのみ、バーブクランプ１０を外すことができる。
【００１２】
図５，６に示す改良バーブクランプ１０は、図１〜４に関して説明したのと同じ多くの特徴を有している。しかしながら、改良バーブクランプ１０は、工夫を凝らして設計されたバーブコネクタ１１２もさらに備えている、これは、バーブクランプ１０の穴または流路の断面積が、バーブクランプ１０の外側のチューブ１４内の流路１００ａの断面積と同じになるように設計されている。バーブクランプ１０外の流路１００は、チューブ１４の内側の穴により規定される。改良バーブクランプ１０内の流路１００ａは、バーブコネクタ１１２，２１２の内側の穴により規定される。図１，２から分かるように、チューブ１４の流路１００の断面積は、図１に１００ａで示すように、バーブクランプ１０内で小さくなる。従来技術のバーブコネクタ１２の自由端５０は、チューブ１４が、バーブクランプ１０に入り、流路１００ａが変化するとき、流路１００の断面積を変化させる厚さの先端が丸い端部５２を有する。バーブ接続を設計するときに遭遇する１つの問題は、バーブコネクタ１２をチューブ１４に挿入するために、一般に、バーブコネクタ１２の穴の断面積を小さくすることが必要であることである。しかしながら、改良バーブクランプ１０は、基本的に、チューブ１４と同じ直径の穴のバーブコネクタ１１２，２１２を提供するが、チューブ１４に容易に挿入することができる。
【００１３】
図５，６に示すように、改良バーブクランプ１１０において、バーブコネクタ１１２，２１２は、チューブ１４の穴１００と同じ断面積の工夫を凝らした大きさの穴を有している。改良バーブコネクタ１１２，２１２が、チューブ１４に取り付けられたとき、チューブ１４の内径とバーブコネクタ１１２の内径の間に変化はない。その結果、チューブまたはバーブクランプ１１０の外側から内側へ流動する流体に圧力差は生じない。システム全体を通して一定の圧力または一定の流体速度を維持することは、ある医療用途においては必要不可欠であろう。これを達成するため、バーブコネクタ１１２，２１２の自由端１５０は、尖端１５２に向けて徐々にテーパ状になっている。バーブコネクタ１１２の自由端１５０上の尖端１５２もチューブ１４へのバーブコネクタ１１２の容易な挿入を可能にする。この構成を採用した結果、液状材料は、バーブコネクタ１１２または２１２およびチューブ１４の間で決して漏れることはない。
【００１４】
図６は、チューブ１４が、バーブクランプ内にあるか否かにかかわらず、チューブ１４の流路と同じ内径を維持しているバーブクランプ１１０の別の構成を示す。図６において、バーブクランプ１１２は、バンパ留め具(bumper stop)２３０を備えてもよい。これは、フランジ１７が、コレット１８，２１８とスリーブ２０の別の留め具を規定している間に、フランジ１７に装着され、チューブ１４の別の留め具として機能することが示されている。テーパ端２４０になるようにコレット２１８を変更し、スリーブのテーパ端４０に対応させてもよい。さらに、頑丈なグリップにすべくチューブ１４の中にもっと先に延在するように、コレット２１８の環状棚状物２３２を再構成してもよい。
【００１５】
バーブクランプ１０が、医療や医薬品環境にある場合、コレット１８とスリーブ２は、ＦＤＡ承認材料から製造すべきである。この材料は、弾力がなければならない。スリーブ２０は、ポリカーボネート、シリコン、またはポリプロピレンから好適に製造される。アセチル、シリコン、またはポリプロピレンからコレット１８を製造するのが好ましい。改良バーブクランプの構成成分は、医療用途のために、高圧減菌器内で殺菌可能なポリプロピレンなどの上記の材料から製造される。少なくとも１つのコネクタ、コレット、およびスリーブの製造において用いられるプラスチックに抗菌添加物を添加してもよい。
【００１６】
図７〜１１は、本発明によるバーブクランプ３１０の別の構成を示す。この実施形態のバーブクランプ３１０は、前の実施形態で開示したのと同じ材料で製造される、先ず、図１１を参照すると、バーブクランプ３１０がチューブ３１４の上に組み付けられて、チューブ３１４を係止接続状態に保持している。バーブコネクタ３１２は、管状構成を有している。バーブコネクタ１２は、流路を規定している一定の直径の平滑な内穴３１３を有している。バーブコネクタ３１２の内穴３１３の一定の直径は、フレキシブルチューブ３１４の所定の内径３１５に等しい。バーブコネクタ３１２は、フレキシブルチューブ３１４の一端に配設する第１の端部を有している。第１の端部３２２は、内穴３１３から始まり、第１の端部３２２の終端部で尖端を規定している、内穴３１３から径方向に外側に延在している、外部の角度方向または傾斜面３２３を有している。その結果、バーブコネクタ３１２の第１の端部３２２は、バーブコネクタ３１２の流路に垂直な縁を有しておらず、取り付けたとき、バーブクランプ３１０の内側または外側のチューブ３１４の流路内に圧力差は生じない。角度方向面３２３は、第１の端部３２２の全径方向外周に沿って延在している。角度方向面３２３は、外側の面に沿って形成されたバーブ先端３２４で終わっている。バーブコネクタ３１２は、バーブコネクタ３１２をチューブ３１４に挿入する留め具として機能する、第１の端部３２２から離隔したフランジ部３２６も備えてもよい。バーブコネクタ３１２の尖った第１の端部３２２の構成により、チューブ３１４内の流路が、バーブコネクタ３１２の内側か外側にあるか否かにかかわらず、チューブ３１４の流路直径を一定にする。
【００１７】
バーブクランプ３１０は、コレット３１８とスリーブ３２０を備えている。コレット３１８とスリーブ３２０は、図７〜１１に示すようなものである。例示した実施形態において、以下に説明するように、コレット３１８とスリーブ３２０は、脆弱なタブ（ｆｒａｎｇｉｂｌｅ  ｔａｂｓ）３２８により一緒に接続される。コレット３１８は、チューブ３１４の端部を受容する貫通穴３１９を有する環状部材である。コレット３１８の外面３３０は、二層構造（ｂｉ−ｌｅｖｅｌ  ｃｏｎｆｉｇｕｒａｔｉｏｎ）を有しており、そこでは、第１の端部３３２に隣接する外面３３０ａの直径が、第２の端部３３４に隣接する外面３３０ｂの直径以下である。第１と第２の外面３３０ａ，３３０ｂは、分離しており、コレット３１８の中間点に位置する出張り３３６により規定されている。
【００１８】
コレット３１８の内側の面３１９は、第１の端部３３２を除き、基本的に平滑な径方向面を有しており、そこでは、環状隆起（ａｎｎｕｌａｒ  ｒｉｄｇｅ）３３８がある。環状隆起３３８は、環状隆起３３８の縮小直径方向に内側に曲がっている導入環状面（ｌｅａｄ−ｉｎ  ａｎｎｕｌａｒ  ｓｕｒｆａｃｅ）３４０により規定されている。導入環状面３４０は、コネクタ３１２とチューブ３１４のバーブ端部３２２の進入と組み付けを容易にする。コレット３１８の第２の端部３３４は、流路に垂直な径方向面を有している。複数の脆弱なタブ３２８は、第２の端部の径方向面３３４に接続され、そこから延在している。以下に説明するように、脆弱なタブ３２８の反対端部もスリーブ３２０の内面に接続されている。
【００１９】
細長い貫通スリット３４２は、コレット３１８の第１の端部３３２で始まり、そこで開口している。複数のスリット３４２は、コレット３１８の円周に沿って等間隔に形成されている。スリット３４２は、細長い水平方向の縁３４３ａ，３４３ｂを有し、互いに間隔が空けられ、その間に隙間を形成している。スリット３４２は、第１の端部３３２からコレット３１８の本体に軸長方向の約３分の２延在している。一例のみをあげれば、貫通スリット３４２は、脆弱なタブ３２８と一直線に位置している。
【００２０】
コレット３１８の第２の端部３３４は、複数の貫通スリット３４４も備えている。貫通スリット３４４は、スリット３４２と同じに構成されている。スリット３４４は、水平方向に間隔を空けた縁３４５ａ，３４５ｂも備えている。スリット３４４は延在し、コレット３１８の第２の端部３３４に開口し、コレット３１８の本体に軸長の３分２延在している。スリット３４４は、隣接スリット３４２の間に等間隔に形成されている。従って、スリット３４２，３４４の両セットが延在するコレット３１８の中心部が存在する。バーブクランプ３１０が、係止位置にあるとき、スリット３４２，３４４は、チューブ３１４の周囲を弾性封止する。
【００２１】
スリーブ３２０は、平滑な外側の面３５０を有している。スリーブの内側の面３５１は、スリーブの第１の端部３５４に形成された径方向の縁３５２を有している。スリーブの内側の面３５１は、縁（ｌｉｐ）３５２に隣接する拡大径方向部３５８を有している。拡大部３５８は、バーブクランプが、係止位置にあるとき、コレット３１８の第２の外面３３０ｂを収納できる大きな直径を有している。拡大部３５８は、縮小直径部３６２により規定された出張り３６０で終わっている。縮小直径部３６２の後に拡大端部３６６に向けて外側に傾斜している傾斜部３６４が軸方向に続いている。拡大部３５８は、スリーブ３２０の第２の端部３５６に隣接している。脆弱なタブ３２８の反対端部は、スリーブの内側の拡大端部３６６の壁に位置し、そこに接続されている。コレット３１８とスリーブ３２０に脆弱なタブ３２８を接続することで、バーブクランプが、係止解除位置にあるとき、脆弱なタブ３２８が、コレットとスリーブの間で唯一の接続になるように、スリーブ３２０の第２の端部３５６とコレット３１８の第２の端部３３４の間で隙間３２９を形成する。コレット３１８とスリーブ３２０に対する脆弱なタブ３２８の位置では、所定の加えられた力で、コレット３１８から脆弱なタブ３２８が外れてしまう。
【００２２】
取り付け時に、スリーブ３２０端部が、最初にチューブ３１４上になって、装着したコレット３１８とスリーブ３２０が、チューブ３１４の端部の上にずり落ちてしまう。バーブコネクタ３１２が、チューブ３１４の端部に挿入され、尖ったバーブ端部３２２に達する。いったんバーブコネクタ３１２が、チューブ３１４の端部に堅く装着されると、コレット３１８が、チューブ３１４のその端部上で逆に滑って、チューブ３１４とバーブコネクタ３１２の両端部を取り囲む。係止器具を用いて、脆弱なタブ３２８を壊し、スリーブ３２０をコレット３１８から脱着して、コレット３１８上でスリーブ３２０を摺動させることができる。脆弱なタブ３２８は、コレット３１８から取り壊されるが、スリーブの内部面３６６上のタブ３２８の部分は、接触したままであり、スリーブ３２０に接続されている。
【００２３】
スリーブ３２０が、コレット３１８上を移動するので、コレット３１８の第２の端部３３４は、スリーブ３２０の内面３６２に装着された脆弱なタブ３２８部を破損してしまう。スリーブ３２０が、コレット３１８上でその軸方向移動を続けると、コレットの第２の端部３３４が、傾斜部３６４に沿って移動し、スリット３４４が一緒に押し潰され、水平方向の縁３４５ａ，３４５ｂの間の隙間がなくなって、チューブ３１４の周囲を弾性封止する。コレット３１８の第２の端部３３４が係止されるまで、スリーブ３２０が、コレット３１８上を移動し続け、スリーブの径方向の縁３５２の下に当接する。径方向の縁３５２は、コレット３１８に対するスリーブ３２０のさらに先への軸方向移動を停止させる。図１０，１１に示す係止位置において、コレット３１８の第２の外面３３０ｂは、スリーブ３２０の拡大部３５８に隣接している。
【００２４】
コレット３１８上の出張り３３６は、カチッと閉じて、スリーブ３２０の内側に出張り３６０上で保持される。スリーブ３２０の小さな直径部３６２は、コレット３１８の第１の部分３３０ａを収縮させて、スリット３４２の水平方向の縁３４３ａ，３４３ｂの間の隙間をなくす。縮小直径部３６２が設けられ、隙間３４２，３４４の各々の収縮に影響を及ぼす。スリーブ３２０に接続されたままのタブ部３２８は、第１の端部３３２に隣接するコレット３１８の外面３３０ａをしっかりと把持する。スリーブ３２０が、コレット３１８、バーブコネクタ３１２、およびチューブ３１４の上で係止されたとき、チューブ３１４は、３６０度径方向に圧縮接続される。
【００２５】
現在最も実際的であると考えられるものと、好適な実施形態に関して本発明を説明したが、本発明は、開示した実施形態に限定されず、それどころか、添付クレームの精神と範囲内に含まれる様々な変更例と等価な構成を網羅することを意図することを理解すべきである。ここで範囲とは、上記の全ての変更例と法により許されている等価な構成を包合するために、最も広い解釈に一致する。
【図１】
0005679824.tif 000002
【図２】
0005679824.tif 000003
【図３】
0005679824.tif 000004
【図４】
0005679824.tif 000005
【図５】
0005679824.tif 000006
【図６】
0005679824.tif 000007
【図７】
0005679824.tif 000008
【図８】
0005679824.tif 000009
【図９】
0005679824.tif 000010
【図１０】
0005679824.tif 000011
【図１１】
0005679824.tif 000012